(57)【要約】【課題】  雑草を除去する場合、芝や植木を刈る場合の両方に使用可能な草取り刃を提供することを目的とし、またひとつの草取り刃で様々な使用用途に利用可能な草取り刃を提供する。【解決手段】  刈払機、草刈機、草取り機、芝刈り機等の作業機械の回転軸に取り付けられて使用される草取り刃であって、前記草取り刃は草取り刃本体と前記草取り刃本体に設けられた刃と前記刃の角度を調整するためのスリットが設けられていることを特徴とする。また前記草取り刃本体は、草取り刃中心部と前記草取り刃中心部の端部から伸長する一対の草取り刃端部と前記草取り刃端部から伸長する一対の草取り本体最端部から構成され、前記草取り刃端部は前記草取り刃中心部を基準として所定角度αの勾配で上方に傾斜し、前記草取り刃最端部は前記草取り刃中心部を基準として前記所定角度αよりも小さい角度βの勾配で上方に傾斜していることを特徴とする。【選択図】  図２
2016214095.tif 000002
【特許請求の範囲】
【請求項１】
刈払機、草刈機、草取り機、芝刈り機等の作業機械の回転軸に取り付けられて使用される草取り刃であって、前記草取り刃は草取り刃本体と前記草取り刃本体に設けられた刃と前記刃の角度を調整するためのスリットが設けられていることを特徴とする草取り刃。
【請求項２】
前記草取り刃本体は、草取り刃中心部と前記草取り刃中心部の端部から伸長する一対の草取り刃端部と前記草取り刃端部から伸長する一対の草取り本体最端部から構成され、前記草取り刃端部は前記草取り刃中心部を基準として所定角度αの勾配で上方に傾斜し、前記草取り刃最端部は前記草取り刃中心部を基準として前記所定角度αよりも小さい角度βの勾配で上方に傾斜していることを特徴とする請求項１記載の草取り刃。
【請求項３】
前記刃と前記スリットは、前記草取り本体最端部の端部に設けられていることを特徴とする請求項２記載の草取り刃。
【請求項４】
前記草取り刃端部と前記草取り刃最端部の正面もしくは背面に複数の前記刃と複数の前記スリットが所定間隔で連続的に形成されることを特徴とする請求項２記載の草取り刃。
【請求項５】
前記刃は、前記草取り刃本体を基準として所定角度γａｋの勾配で上方に傾斜した上方刃と前記草取り刃本体を基準として所定角度γｂｋの勾配で下方に傾斜した下方刃から構成され、前記上方刃の刃と前記下方刃の刃は相対するように前記草取り刃本体の角に設けられていることを特徴とする請求項１記載の草取り刃。
【請求項６】
前記刃の角度は変更可能であることを特徴とする請求項１ないし５いずれか一項記載の草取り刃。
【請求項７】
請求項１ないし請求項６いずれか一項記載の草取り刃を前記回転軸に取り付けたことを特徴とする刈払機、草刈機、草取り機、芝刈り機等の作業機械。
【発明の詳細な説明】
【技術分野】
【０００１】
本発明は、刈払機や草刈機等の先端等に装着し、雑草の根を残さず引き抜いて取り除くための草取り刃に関する。
【背景技術】
【０００２】
従来、畑地、庭園、公園、運動場、ゴルフ場等の雑草を除去する目的や、のびすぎてしまった芝や植木を刈る目的として、刈払機、草刈機、草取り機、芝刈り機等の作業機械が用いられている。
一般的に前記刈払機等の作業機械は作業者が手に持ったり、肩に掛けたり、背負うことにより携帯して用いられる。前記刈払機等の作業機械はエンジン又はモータ等の駆動源を備え、前記駆動源からの回転を回転刃に伝達し、ハンドル等の操作杆を動かすことにより、前記回転刃が雑草、下草、灌木、芝、植木等を刈り取ることが可能となる。
しかし従来の刈払機等の作業機械を雑草を除去する目的で使用する場合、地上部の雑草のみを刈り取るため雑草の根は土中に残ってしまい、比較的短時間で雑草が成長し、地上部にのびてきてしまう。
よって、雑草を根から取り除く草取り具が開発されている。
【０００３】
特許文献１は草取り具に関するものであり、前記草取り具は円筒状の環状刃１、前記環状刃１の内方部分にすくい刃３とピンローラ４を備える。前記草取り具を使用する場合には、回転した前記環状刃１を地面に押し出すと、前記ピンローラ４のピンが地面に接触し、固い地面をほぐし、前記すくい刃３と前記環状刃１によって、雑草の根を切断する（その段落００１１、００１５、００１６、図２）、と記載されている。
【０００４】
特許文献２は回転刃に関するものであり、前記回転刃１は、回転基台２と前記回転基台２の最外経側に位置する草取り刃部１２等で形成され、前記草取り刃部１２は半径の異なる位置に形成される３個の刃１３１，１３２，１３３を備える。前記３個の刃１３１，１３２，１３３の下向きの傾斜により、土壌に喰込み、草をその根の部分で切り取る（その段落００２１、００２５、００２７、図５）、と記載されている。
【０００５】
また特許文献３は刈払い機の草取り用替え刃に関するものであり、前記草取り用替え刃は刃板１と前記刃板１の装着孔中心の同心円上に基部をコイル状にした弾発力を備えた爪３を地面側に向けて三本立設したもので、前記爪３によって、草取りを行う（その段落００１３、００１６、００１７）、と記載されている。
【先行技術文献】
【特許文献】
【０００６】
【特許文献１】特開２００６−３３３７５２号公報
【特許文献２】特開２０００−３３３５２４号公報
【特許文献３】特開２００９−０１１３０８号公報
【発明の開示】
【発明が解決しようとする課題】
【０００７】
特許文献１，２，３に開示された発明においては、草取りを行う際に専用の草取り具を使用するか、もしくは草取り専用の回転刃を市販の刈払い機等の作業機械に取り付けることによって雑草を根から取り除くものであるため、草取り用に新たに機材を購入する必要がありコストがかかるうえに、専用の草取り具の保管場所の確保や草取り専用の回転刃の交換作業が煩雑で時間がかかる等の問題が存在する。
また、特許文献１，２，３においてはピンもしくは刃が土壌に喰込むことで雑草を除去するため、地面が過剰に掘り起こされ、草取り具もしくは草取り用の刃を使用した後の地表面が煩雑な汚れた状態となり、草取りを行った後にきれいに整備する必要性がある。
【０００８】
そこで本発明の目的は、雑草を除去する場合、芝や植木を刈る場合の両方に使用可能な草取り刃を提供することを目的とし、またひとつの草取り刃で様々な使用用途に利用可能な草取り刃を提供することを目的とする。
また、スリットによって刃の角度を使用目的、使用場所等によって細かく変更することが可能な草取り刃を提供することを目的とする。
【課題を解決するための手段】
【０００９】
本発明は、刈払機、草刈機、草取り機、芝刈り機等の作業機械の回転軸に取り付けられて使用される草取り刃であって、前記草取り刃は草取り刃本体と前記草取り刃本体に設けられた刃と前記刃の角度を調整するためのスリットが設けられていることを特徴とする。
また本発明の前記草取り刃本体は、草取り刃中心部と前記草取り刃中心部の端部から伸長する一対の草取り刃端部と前記草取り刃端部から伸長する一対の草取り本体最端部から構成され、前記草取り刃端部は前記草取り刃中心部を基準として所定角度αの勾配で上方に傾斜し、前記草取り刃最端部は前記草取り刃中心部を基準として前記所定角度αよりも小さい角度βの勾配で上方に傾斜していることを特徴とする。
そして本発明の前記刃と前記スリットは、前記草取り本体最端部の端部に設けられていることを特徴とする。
本発明によれば、前記スリットがあることによって前記刃の角度を適宜好きな角度に調整して地表面の草を刈る場合と地中の根を刈る場合を使い分けることが可能となり、ひとつの草取り刃で地表面の草と地中の根を刈ることが可能となる。
【００１０】
本発明は、前記草取り刃端部と前記草取り刃最端部の正面もしくは背面に複数の前記刃と複数の前記スリットが所定間隔で連続的に形成されることを特徴とする。
本発明によれば、草取り刃の刃を複数設け、刃の角度をそれぞれ調整することにより、地表面の草と地中の根を同時に刈ることが可能となる。
また、刃の角度をスリットがあることによって細かく変更することが可能であるため、使用目的、使用場所等によって作業者が適宜好きな角度に調整することが可能となる。
そして複数の刃が設けられているため、沢山の雑草や根を一度に効率的に刈ることが可能となる。
【００１１】
本発明の前記刃は、前記草取り刃本体を基準として所定角度γａｋの勾配で上方に傾斜した上方刃と前記草取り刃本体を基準として所定角度γｂｋの勾配で下方に傾斜した下方刃から構成され、前記上方刃の刃と前記下方刃の刃は相対するように前記草取り刃本体の角に設けられていることを特徴とする。
本発明によれば、前記上方刃で地表面の草を刈り、前記下方刃で地中の根を刈ることで、地表面の草と地中の根を同時に刈ることが可能となる。
【００１２】
本発明の前記刃の角度は変更可能であることを特徴とする。
本発明によれば、刃の角度をスリットがあることによって細かく変更することが可能であるため、使用目的、使用場所等によって作業者が適宜好きな角度に調整することが可能となる。
【００１３】
本発明の草取り刃を前記回転軸に取り付けたことを特徴とする刈払機、草刈機、草取り機、芝刈り機等の作業機械を提供する。
【発明の効果】
【００１４】
本発明によれば、スリットがあることによって刃の角度を適宜好きな角度に調整して地表面の草を刈る場合と地中の根を刈る場合を使い分けることが可能となり、ひとつの草取り刃で地表面の草と地中の根を刈ることが可能となる。
また本発明によれば、草取り刃の刃を複数設け、刃の角度をそれぞれ調整することにより、地表面の草と地中の根を同時に刈ることが可能となる。また複数の刃が設けられているため、沢山の雑草や根を一度に効率的に刈ることが可能となる。
そして、本発明によれば刃の角度をスリットがあることによって細かく変更することが可能であるため、使用目的、使用場所等によって作業者が適宜好きな角度に調整することが可能となる。
【図面の簡単な説明】
【００１５】
【図１】本発明の第１の実施形態の草取り刃を刈払機等の作業機械に装着した状態を示す模式図である。
【図２】上記第１の実施形態の草取り刃を刈払機等の作業機械に装着した状態を示す底面図である。
【図３】上記第１の実施形態の草取り刃を示す斜視図である。
【図４】上記第１の実施形態の草取り刃を示す平面図である。
【図５】上記第１の実施形態の草取り刃を示す正面図である。
【図６】上記第１の実施形態の草取り刃を示す左側面図である。
【図７】本発明の第２の実施形態の草取り刃を示す斜視図である。
【図８】上記第２の実施形態の草取り刃を示す平面図である。
【図９】上記第２の実施形態の草取り刃を示す正面図である。
【図１０】上記第２の実施形態の草取り刃を示す左側面図である。
【図１１】本発明の第３の実施形態の草取り刃を示す斜視図である。
【図１２】上記第３の実施形態の草取り刃を示す平面図である。
【図１３】上記第３の実施形態の草取り刃を示す正面図である。
【図１４】上記第３の実施形態の草取り刃を示す左側面図である。
【図１５】本発明の草取り刃を刈払機等の作業機械に装着する場合の組立て方法を示す模式図である。
【図１６】本発明の第４の実施形態の草取り刃を示す斜視図である。
【図１７】上記第４の実施形態の草取り刃を示す平面図である。
【図１８】上記第４の実施形態の草取り刃を示す正面図である。
【図１９】上記第４の実施形態の草取り刃を示す左側面図である。
【図２０】上記第４の実施形態の草取り刃を刈払機等の作業機械に装着した状態を示す底面図である。
【発明を実施するための形態】
【００１６】
以下、本発明を実施するための形態を図面を引用しながら説明する。
【００１７】
（第１の実施の形態）
図１は本発明の第１の実施形態の草取り刃を刈払機等の作業機械に装着した状態を示す模式図であり、図２は上記第１の実施形態の草取り刃を刈払機等の作業機械に装着した状態を示す底面図である。図３は上記第１の実施形態の草取り刃を示す斜視図であり、図４は上記第１の実施形態の草取り刃を示す平面図である。図５は上記第１の実施形態の草取り刃を示す正面図であり、図６は上記第１の実施形態の草取り刃を示す左側面図である。図１５は本発明の草取り刃を刈払機等の作業機械に装着する場合の組立て方法を示す模式図である。
本実施の形態の草取り刃１は、刈払機、草刈機、草取り機、芝刈り機等の作業機械１００の回転軸９（図１５）に取り付けられて使用されるものであり、前記作業機械１００は、一般的に駆動源３とハンドル４と操作桿５と草取り部２から構成される（図１）。
前記駆動源３は前記草取り刃１を回転駆動させるエンジン又はモータであり、前記操作桿５の内部に収納された前記回転軸９によって前記駆動源３の駆動力を前記草取り刃１に伝達する。作業者は前記作業機械１００を手に持ったり、肩に掛けたり、背負うことにより携帯し、前記ハンドル４を操作することによって前記作業機械１００を左右等に動かし、回転する草取り刃１によって雑草、下草、灌木、芝、植木等を刈り取る。
【００１８】
前記草取り刃１は、雑草を除去する用途、芝や植木を刈る用途の両方に使用することが可能な刃であり、草取り刃本体１５と窓穴１１とスリット１２と刃１３と取付穴１４から構成される。
前記草取り刃本体１５は、草取り刃中心部１５ａと前記草取り刃中心部１５ａの端部から伸長する一対の草取り刃端部１５ｂと前記草取り刃端部１５ｂから伸長する一対の草取り本体最端部１５ｃから構成され、前記草取り刃本体１５は平面視で長方形型（図４）、正面視でＶ字型（図５）をしている。
前記草取り刃中心部１５ａの中心には、前記作業機械１００に装着するための取付穴１４が形成される。前記取付穴１４は円形状であり、直径約２．５ｃｍｍの大きさをもつ。前記取付穴１４の直径は前記作業機械１００のサイズ等によって適宜変更可能である。
前記一対の草取り刃端部１５ｂは、前記草取り刃１の中心を基準として対称的な形状をなす。前記草取り刃端部１５ｂの一端には前記草取り刃中心部１５ａが取り付けられ、前記一端から他端にかけて平面視で横幅が徐々に狭くなるように形成され、前記草取り刃端部１５ｂの他端に前記草取り刃最端部１５ｃが取り付けられる。
前記一対の草取り刃最端部１５ｃも前記草取り刃端部１５ｂと同様で前記草取り刃１の中心を基準として対称的な形状をなす。前記草取り刃端部１５ｃの一端には前記草取り刃端部１５ｂが取り付けられ、前記一端から他端にかけて平面視で横幅が徐々に狭くなるように形成され、前記草取り刃最端部１５ｃの端部に前記刃１３と前記スリット１２が形成される。
前記草取り刃最端部１５ｃに形成された前記刃１３は、雑草、雑草の根、下草、灌木、芝、植木等を刈り取るための刃であり、前記草取り本体最端部１５ｃの端部から前記草取り刃最端部１５ｃを基準として所定角度θ（約３０度）の勾配で上方に傾斜している。前記刃１３の横には、前記刃１３の角度θを変更可能とするための前記スリット１２が形成されている。
前記スリット１２は、前記草取り刃最端部１５ｃに形成された穴であり、前記草刈刃本体最端部１５ｃの正面を切り欠いて形成された長方形状のスリット１２ａと長方形状のスリット１２ａと連続して形成された円形状のスリット１２ｂから構成される。
前記スリット１２は長方形状のスリット１２ａのみで形成されていてもよく、前記刃１３の角度θをペンチやその他刃の角度を変更するための工具等で変更可能であればよい。
前記刃１３と前記スリット１２は、前記草取り刃最端部１５ｃの正面もしくは背面のみに形成されている。前記一対の草取り刃最端部１５ｃのうち、一方の草取り刃最端部１５ｃの正面に前記刃１３と前記スリット１２が形成されていれば、他方の草取り刃最端部１５ｃの背面に前記刃１３と前記スリット１２が形成されており、前記一対の草取り刃最端部１５ｃに形成されている刃１３の回転方向の向きが同じになるように構成されている。
前記草取り刃端部１５ｂは前記草取り刃中心部１５ａを基準として所定角度α（約３０度）の勾配で上方に傾斜し、前記草取り刃最端部１５ｃは前記草取り刃中心部１５ａを基準として前記所定角度αよりも小さい角度β（約１５度）の勾配で上方に傾斜している。よって前記草取り刃本体１５は、前記草取り刃中心部１５ａの端部から前記草取り本体端部１５ｂと前記草取り本体最端部１５ｃの接合部分まで所定角度で上方に傾斜し、その後、前記草取り本体端部１５ｂと前記草取り本体最端部１５ｃの接合部分から前記草取り本体最端部１５ｃの他端まで前記所定角度よりも小さい角度で上方に傾斜した形状をしている（図５）。
前記草取り刃中心部１５ａと前記草取り刃端部１５ｂと前記草取り刃最端部１５ｃは一体成形されていてもよいし、接着剤等で取り付けられていてもよい。
前記草取り刃本体１５には、前記草取り刃１の重量を軽量化するための前記窓穴１１，１１・・・が所定間隔で形成されている。
前記草取り刃本体１５の材質は、ＳＫ−５等の炭素工具鋼、合金工具鋼、チタン鋼、構造用鋼、ステンレス等の金属である。前記草取り刃本体１５は、平面視で縦約１５ｃｍ、横約５ｃｍ、厚さ約２ｍｍ程度であるが、前記作業機械１００のサイズや使用目的、使用場所、前記草取り刃１の重さ等によって適宜変更可能である。
【００１９】
本実施の形態の草取り刃１の刃１３の角度θを変更する場合、前記刃１３をペンチやその他刃の角度を変更するための工具等で前記スリット１２から上方に曲げることによって好みの角度に変更することができる。具体的には、地表面の草を刈る場合は、前記刃１３の角度θを小さくする（前記草取り本体最端部１５ｃと略平行とする）ことで、のびすぎてしまった芝や植木を刈ることが可能で、また雑草等を地中の根から刈り取りたいという場合には、前記刃１３の角度θを大きくことで地中に向けて刃１３を突き出し、地表面だけでなく地中の根を刈ることが可能となり、畑地、庭園、公園、運動場、ゴルフ場等の雑草を除去する目的で使用することが可能となる。さらに、作業機械１００を使用している途中で、もう少し前記刃１３を地中に突き出して地中深くの根を刈りたい、もしくは石が当たって作業し難いため前記刃１３の角度θを小さくしたい等により、適宜刃１３の角度θは変更可能である。
【００２０】
本実施の形態の草取り刃１を作業機械１００に取り付ける装着方法を説明する。
図１５は本発明の草取り刃を刈払機等の作業機械に装着する場合の組立て方法を示す模式図である。
前記草取り刃１の刃１３をペンチやその他刃の角度を変更するための工具等で必要な角度θに変更し、前記作業機械１００の回転軸９に前記刃カバー８、前記草取り刃１の順に取り付ける。その後、草取り刃１の上に止め金具６を取り付け、ネジ７で締める。前記刃カバー８は草を刈る際に小石等が飛んで作業者に当たるのを防ぐためのカバーであり、前記作業機械１００に取り付けて使用しても外して使用してもどちらでもよい。
【００２１】
このように、前記草取り刃１の刃１３を前記スリット１２によって適宜変更可能であるため、、雑草を除去する場合、芝や植木を刈る場合の両方に使用可能な草取り刃を提供することが可能となる。
また、刃１３の角度を前記スリット１２があることによって細かく変更することが可能であるため、使用目的、使用場所等によって作業者が適宜好きな角度に調整することが可能となる。
【００２２】
（第２の本実施の形態）
図７は本発明の第２の実施形態の草取り刃を示す斜視図であり、図８は上記第２の実施形態の草取り刃を示す平面図である。図９は上記第２の実施形態の草取り刃を示す正面図であり、図１０は上記第２の実施形態の草取り刃を示す左側面図である。
第１の実施の形態の草取り刃１の刃１３とスリット１２は前記草取り刃最端部１５ｃの他端に形成されていたのに対して、本実施の形態の草取り刃１０の刃１１３とスリット１１２は草取り刃１０の草取り刃端部１１５ｂと草取り本体最端部１１５ｃの正面もしくは背面に形成されたもの（図８、図９）であり、その他の構成は第１の実施形態と同様であるため、重複する説明を省略する。
【００２３】
前記草取り刃１０も第１の実施形態と同様、雑草を除去する用途、芝や植木を刈る用途の両方に使用することが可能な刃であり、草取り刃本体１１５と窓穴１１とスリット１１２，１１２・・・と刃１１３，１１３・・・と取付穴１４から構成される。
前記草取り刃本体１１５は、草取り刃中心部１５ａと前記草取り刃中心部１５ａの端部から伸長する一対の草取り刃端部１１５ｂと前記草取り刃端部１１５ｂから伸長する一対の草取り本体最端部１１５ｃから構成され、前記草取り刃本体１１５は平面視で長方形型（図８）、正面視でＶ字型（図９）をしている。
前記一対の草取り刃端部１１５ｂは、前記草取り刃１０の中心を基準として対称的な形状をなす。前記草取り刃端部１１５ｂの一端には前記草取り刃中心部１５ａが取り付けられ、前記一端から他端にかけて平面視で横幅が徐々に狭くなるように形成され、前記草取り刃端部１１５ｂの他端に前記草取り刃最端部１１５ｃが取り付けられる。
前記一対の草取り刃最端部１１５ｃも前記草取り刃端部１１５ｂと同様で前記草取り刃１０の中心を基準として対称的な形状をなす。前記草取り刃端部１１５ｃの一端には前記草取り刃端部１１５ｂが取り付けられ、前記一端から他端にかけて平面視で横幅が徐々に狭くなるように形成される。
前記草取り刃端部１１５ｂは前記草取り刃中心部１５ａを基準として所定角度α（約３０度）の勾配で上方に傾斜し、前記草取り刃最端部１１５ｃは前記草取り刃中心部１５ａを基準として前記所定角度αよりも小さい角度β（約１５度）の勾配で上方に傾斜している。よって前記草取り刃本体１１５は、前記草取り刃中心部１５ａの端部から前記草取り本体端部１１５ｂと前記草取り本体最端部１１５ｃの接合部分まで所定角度で上方に傾斜し、その後、前記草取り本体端部１１５ｂと前記草取り本体最端部１１５ｃの接合部分から前記草取り本体最端部１１５ｃの他端まで前記所定角度よりも小さい角度で上方に傾斜した形状をしている（図９）。
前記草取り刃端部１１５ｂと前記草取り刃最端部１１５ｃの正面もしくは背面には、雑草、雑草の根、下草、灌木、芝、植木等を刈り取るための複数の刃１１３，１１３・・・と前記刃１１３の角度θｋを変更可能とするための複数のスリット１１２，１１２・・・が所定間隔で連続的に形成される。前記スリット１１２は前記刃１１３を挟むような形で前記刃１１３，前記スリット１１２，前記刃１１３・・・の順に形成されている。
前記複数の刃１１３，１１３・・・と前記複数のスリット１１２，１１２・・・は、前記草取り刃端部１１５ｂと前記草取り刃最端部１１５ｃの正面もしくは背面のみに形成されている。前記一対の草取り刃端部１１５ｂと前記一対の草取り刃最端部１１５ｃのうち、一方の草取り刃端部１１５ｂと草取り刃最端部１１５ｃの正面に前記複数の刃１１３，１１３・・・と前記複数のスリット１１２，１１２・・・が形成されていれば、他方の草取り刃端部１１５ｂと草取り刃最端部１１５ｃの背面に前記複数の刃１１３，１１３・・・と前記複数のスリット１１２，１１２・・・が形成されており、前記一対の草取り刃端部１１５ｂと前記一対の草取り刃最端部１１５ｃに形成されている複数の刃１１３，１１３・・・の回転方向の向きが同じになるように構成されている。
前記複数のスリット１１２，１１２・・・は、前記草取り刃端部１１５ｂと前記草取り刃最端部１１５ｃの正面もしくは背面を切り欠いて形成された長方形状のスリットから形成される。前記スリット１１２は長方形状のスリットと長方形状のスリットと連続して形成された円形状のスリットから形成されていてもよく、前記刃１１３の角度θｋをペンチやその他刃の角度を変更するための工具等で変更可能であればよい。
【００２４】
本実施の形態の草取り刃１０の刃１１３の角度θｋを変更する場合、前記スリット１１２，１１２の間に設けられた前記刃１１３をペンチやその他刃の角度を変更するための工具等で上方もしくは下方に曲げることによって前記刃１１３を好みの角度に変更することができる。
前記複数の刃１１３，１１３・・・を刃１１３１，１１３２，・・・１１３ｎとし、それぞれの刃１１３ｋ（ｋ＝１〜ｎ）の角度をθｋとした場合、θｋを異なる角度にすることによって、地表面の草を刈る場合と地中の根を刈る場合を兼用して使用し、地表面の草と地中の根を同時に刈ることも可能であるし、θｋを同じ角度にすることで、地表面の草を刈る場合や地中の根から雑草を刈り取る場合等、使用目的に合わせて専用の刃１１３を形成することも可能である。
【００２５】
このように、前記草取り刃１０の刃１１３を複数設け、刃の角度をそれぞれ調整することにより、地表面の草と地中の根を同時に刈ることが可能となる。
また、刃１１３の角度を前記スリット１１２があることによって細かく変更することが可能であるため、使用目的、使用場所等によって作業者が適宜好きな角度に調整することが可能となる。
そして複数の刃が設けられているため、沢山の雑草や根を一度に効率的に刈ることが可能となる。
【００２６】
（第３の実施の形態）
図１１は本発明の第３の実施形態の草取り刃を示す斜視図であり、図１２は上記第３の実施形態の草取り刃を示す平面図である。図１３は上記第３の実施形態の草取り刃を示す正面図であり、図１４は上記第３の実施形態の草取り刃を示す左側面図である。
第１，第２の実施の形態の草取り刃１，１０は前記草取り刃中心部１５ａを中心に前記一対の草取り刃端部１１５ｂと前記一対の草取り本体最端部１１５ｃで形成されたものであったが、本実施の形態の草取り刃２０は、長方形型の草取り刃本体２１５の４つの角に上方刃２１３ａと下方刃２１３ｂを設けたものであり、その他の構成は第１，第２の実施形態と同様であるため、重複する説明を省略する。
【００２７】
前記草取り刃２０は、雑草を除去する用途、芝や植木を刈る用途の両方に使用することが可能な刃であり、草取り刃本体２１５、窓穴１１、スリット２１２、上方刃２１３ａ、下方刃２１３ｂ、取付穴１４から構成される。
前記草取り刃本体２１５は平面視で長方形型（図１２）をしており、前記草取り刃本体２１５の中心には、前記作業機械１００に装着するための取付穴１４が形成される。前記取付穴１４は円形状であり、直径約２．５ｃｍｍの大きさをもつ。前記取付穴１４の直径は前記作業機械１００のサイズ等によって適宜変更可能である。
前記草取り刃本体２１５の４つの角に上方刃２１３ａと下方刃２１３ｂがそれぞれ設けられ、前記４つの上方刃２１３ａは刃の回転方向の向きが同じになるように構成され、前記４つの下方刃２１３ｂは刃の回転方向の向きが同じようになるように構成される。前記上方刃２１３ａの刃と前記下方刃２１３ｂの刃は相対するように設けられ、前記上方刃２１３ａの刃の向きと前記下方刃２１３ｂの刃の向きは反対であり、前記草取り刃２０は、前記草取り刃２０の中心を基準として略対称的な形状となる。
前記上方刃２１３ａは、前記草取り刃本体２１５を基準として所定角度γａｋの勾配で上方に傾斜しており、前記下方刃２１３ｂは、前記草取り刃本体２１５を基準として所定角度γｂｋの勾配で下方に傾斜している。
前記上方刃２１３ａと前記下方刃２１３ｂの一端には前記上方刃２１３ａと前記下方刃２１３ｂの角度γａｋ，γｂｋを変更可能とするためのスリット２１２が設けられる。前記スリット２１２は、前記草取り刃本体２１５を切り欠いて形成された長方形状のスリットから構成される。前記スリット２１２は、長方形状のスリット２１２ａと、長方形状のスリット２１２ａと連続して形成された円形状のスリット２１２ｂから構成されていてもよく、前記上方刃２１３ａと前記下方刃２１３ｂの角度γａｋ，γｂｋをペンチやその他刃の角度を変更するための工具等で変更可能であればよい。
【００２８】
本実施の形態の草取り刃２０の上方刃２１３ａと下方刃２１３ｂの角度γａｋ，γｂｋを変更する場合、前記上方刃２１３ａと前記下方刃２１３ｂをペンチやその他刃の角度を変更するための工具等で前記スリット２１２から上方もしくは下方に曲げることによって好みの角度に変更することができる。具体的には、地表面の草を刈る場合は、前記上方刃２１３ａと前記下方刃２１３ｂの角度γａｋ，γｂｋを小さくする（前記草取り本体２１５と略平行とする）ことで、のびすぎてしまった芝や植木を刈ることが可能で、また雑草等を地中の根から刈り取りたいという場合には、前記下方刃２１３ｂの角度γｂｋを大きくことで地中に向けて刃２１３ｂを突き出し、地表面だけでなく地中の根を刈ることが可能となる。前記上方刃２１３ａで地表面の草を刈り、前記下方刃２１３ｂで地中の根を刈ることで、地表面の草と地中の根を同時に刈ることも可能である。
【００２９】
（第４の実施の形態）
図１６は本発明の第４の実施形態の草取り刃を示す斜視図であり、図１７は上記第４の実施形態の草取り刃を示す平面図である。図１８は上記第４の実施形態の草取り刃を示す正面図であり、図１９は上記第４の実施形態の草取り刃を示す左側面図である。図２０は上記第４の実施形態の草取り刃を刈払機等の作業機械に装着した状態を示す底面図である。
第１の実施の形態の草取り刃１は前記草取り刃最端部１５ｃの端部に刃１３が設けられたものであったが、第４の実施の形態の草取り刃３０は刃３１３ａに加えて草切り刃３１３ｂを設けたものであり、その他の構成は第１の実施の形態と同様であるため、重複する説明を省略する。
【００３０】
前記草取り刃３０は、雑草を除去する用途、芝や植木を刈る用途、さらに笹や小低木を刈る用途の全てに使用することが可能な刃であり、草取り刃本体３１５とスリット３１２と刃３１３aと草切り刃３１３ｂと取付穴１４から構成される。
前記草取り刃本体３１５は、草取り刃中心部１５ａと前記草取り刃中心部１５ａの端部から伸長する一対の草取り刃端部３１５ｂと前記草取り刃端部３１５ｂから伸長する一対の草取り本体最端部３１５ｃから構成され、前記草取り刃本体３１５は平面視で長方形型（図１７）、正面視でＶ字型（図１８）をしている。
前記一対の草取り刃端部３１５ｂは、前記草取り刃３０の中心を基準として対称的な形状をなす。前記草取り刃端部３１５ｂの一端には前記草取り刃中心部１５ａが取り付けられ、前記草取り刃端部３１５ｂの他端に前記草取り刃最端部３１５ｃが取り付けられる。
前記一対の草取り刃最端部３１５ｃも前記草取り刃端部３１５ｂと同様で前記草取り刃３０の中心を基準として対称的な形状をなす。前記草取り刃端部３１５ｃの一端には前記草取り刃端部３１５ｂが取り付けられ、前記草取り刃最端部３１５ｃの端部に前記刃３１３aと草切り刃３１３ｂと前記スリット３１２が形成される。
前記草取り刃最端部３１５ｃに形成された前記刃３１３ａは、主に雑草、雑草の根、下草等を刈り取るための刃であり、前記草取り本体最端部３１５ｃの端部から前記草取り刃最端部３１５ｃを基準として所定角度ωの勾配で上方に傾斜している。前記刃３１３ａの両端には、前記刃３１３ａの角度ωを変更可能とするための前記スリット３１２が形成されている。
前記草取り刃最端部３１５ｃに形成された前記草切り刃３１３ｂは、主に草や小低木等を刈り取るための刃であり、前記スリット３１２を挟んで前記刃３１３ａに隣接して前記草取り刃最端部３１５ｃの最端部に設けられている。前記草切り刃３１３ｂは前記草取り刃最端部３１５ｃを基準とすると上下に傾斜はしていない。また前記草取り刃３１３ｂの先端は図１７の平面図でみた場合に上下方向から角度λ（λ＝４５度）分カットした状態で形成されている。本実施の形態ではλは４５度であるが、前記草取り刃３０の使用用途等によって適宜変更可能である。
前記スリット３１２は、前記草取り刃最端部３１５ｃに形成された穴であり、前記草刈刃本体最端部３１５ｃの正面を切り欠いて形成された長方形状のスリットから構成される。
前記スリット３１２は長方形状のスリット３１２ａと、長方形状のスリット３１２ａと連続して形成された円形状のスリット３１２ｂから構成されていてもよく、前記刃３１３ａの角度ωをペンチやその他刃の角度を変更するための工具等で変更可能であればよい。
前記刃３１３aと前記草切り刃３１３ｂと前記スリット３１２は、前記草取り刃最端部３１５ｃの正面もしくは背面のみに形成されている。前記一対の草取り刃最端部３１５ｃのうち、一方の草取り刃最端部３１５ｃの正面に前記刃３１３ａと前記草切り刃３１３ｂと前記スリット３１２が形成されていれば、他方の草取り刃最端部３１５ｃの背面に前記刃３１３aと前記草切り刃３１３ｂと前記スリット１２が形成されており、前記一対の草取り刃最端部３１５ｃに形成されている刃３１３ａと前記草切り刃３１３ｂの回転方向の向きが同じになるように構成されている。
前記草取り刃端部３１５ｂは前記草取り刃中心部１５ａを基準として所定角度α（約３０度）の勾配で上方に傾斜し、前記草取り刃最端部３１５ｃは前記草取り刃中心部１５ａを基準として前記所定角度αよりも小さい角度β（約１５度）の勾配で上方に傾斜している。よって前記草取り刃本体３１５は、前記草取り刃中心部１５ａの端部から前記草取り本体端部３１５ｂと前記草取り本体最端部３１５ｃの接合部分まで所定角度で上方に傾斜し、その後、前記草取り本体端部３１５ｂと前記草取り本体最端部３１５ｃの接合部分から前記草取り本体最端部３１５ｃの他端まで前記所定角度よりも小さい角度で上方に傾斜した形状をしている（図１８）。
前記草取り刃中心部１５ａと前記草取り刃端部３１５ｂと前記草取り刃最端部３１５ｃは一体成形されていてもよいし、接着剤等で取り付けられていてもよい。
前記草取り刃本体３１５には、前記草取り刃３０の重量を軽量化するための前記窓穴１１，１１・・・が所定間隔で形成されていてもよい。
前記草取り刃本体３１５の材質は、ＳＫ−５等の炭素工具鋼、合金工具鋼、チタン鋼、構造用鋼、ステンレス等の金属である。
前記草取り刃３０の長さは前記刃カバー８よりも草切り刃３１３ｂの２倍の長さ分長く作成されており（図２０）、前記草取り刃本体３１５を前記刃カバー８とともに前記作業機械１００に装着した際に、両端の前記草切り刃３１３ｂが前記刃カバー８に覆われることなく露出した状態で使用することが可能となる。上述のように使用することによって、地表面から伸びた笹や小低木等の前記刃カバー８よりも上方まで伸びた植物に関しても前記刃カバー８に邪魔されることなく刈り取ることが可能となる。
【００３１】
本実施の形態の草取り刃３０の刃３１３ａの角度ωを変更する場合、前記刃３１３aをペンチやその他刃の角度を変更するための工具等で前記スリット３１２から上方に曲げることによって好みの角度に変更することができる。具体的には、地表面の草を刈る場合は、前記刃３１３ａの角度ωを小さくする（前記草取り本体最端部３１５ｃと略平行とする）ことで、のびすぎてしまった芝や植木を刈ることが可能で、また雑草等を地中の根から刈り取りたいという場合には、前記刃３１３ａの角度ωを大きくことで地中に向けて刃３１３aを突き出し、地表面だけでなく地中の根を刈ることが可能となり、畑地、庭園、公園、運動場、ゴルフ場等の雑草を除去する目的で使用することが可能となる。さらに、作業機械１００を使用している途中で、もう少し前記刃３１３ａを地中に突き出して地中深くの根を刈りたい、もしくは石が当たって作業し難いため前記刃３１３ａの角度ωを小さくしたい等により、適宜刃３１３ａの角度ωは変更可能である。
また前記刃３１３ａと前記草切り刃３１３ｂを使用することで、前記刃３１３ａによって雑草の地中の根を刈り、草切り刃３１３ｂによって地表面にのびた笹や小低木を刈り取ることができ、一度に雑草と地表面ののびた笹や小低木を刈り取ることが可能となる。
【００３２】
よって、前記草取り刃３０の刃３１３aを前記スリット３１２によって適宜変更可能であるため、、雑草を除去する場合、芝や植木を刈る場合の両方に使用可能な草取り刃を提供することが可能となる。
また、刃３１３ａの角度を前記スリット３１２があることによって細かく変更することが可能であるため、使用目的、使用場所等によって作業者が適宜好きな角度に調整することが可能となる。
【００３３】
このように、本発明の草取り刃１，１０，２０，３０を使用することにより、地表面の草を刈る場合と地中の根を刈る場合を兼用して使用し、一度で地表面の草と地中の根を刈ることが可能となる。
また本発明の草取り刃１，１０，２０，３０を使用することにより、地表面の草を刈る場合と地中の根を刈る場合を角度を調整することで使い分けることが可能であり、ひとつの草取り刃で地表面の草と地中の根を刈ることが可能となる。
また、刃の角度を前記スリットがあることによって細かく変更することが可能であるため、使用目的、使用場所等によって作業者が適宜好きな角度に調整することが可能となる。
【符号の説明】
【００３４】
１，１０，２０，３０          草取り刃、
１１                          窓穴、
１２，１１２，２１２          スリット、
１３，１１３，３１３ａ        刃、
２１３ａ                      上方刃、
２１３ｂ                      下方刃、
３１３ｂ                      草切り刃、
１４                          取付穴、
１５，２１５，３１５          草取り刃本体、
１５ａ                        草取り刃中心部、
１５ｂ，１１５ｂ，３１５ｂ    草取り刃端部、
１５ｃ，１１５ｃ，３１５ｃ    草取り刃最端部、
６                            止め金具、
７                            ネジ、
８                            刃カバー、
９                            回転軸、
１００                        作業機械
【図１】
2016214095.tif 000003
【図２】
2016214095.tif 000004
【図３】
2016214095.tif 000005
【図４】
2016214095.tif 000006
【図５】
2016214095.tif 000007
【図６】
2016214095.tif 000008
【図７】
2016214095.tif 000009
【図８】
2016214095.tif 000010
【図９】
2016214095.tif 000011
【図１０】
2016214095.tif 000012
【図１１】
2016214095.tif 000013
【図１２】
2016214095.tif 000014
【図１３】
2016214095.tif 000015
【図１４】
2016214095.tif 000016
【図１５】
2016214095.tif 000017
【図１６】
2016214095.tif 000018
【図１７】
2016214095.tif 000019
【図１８】
2016214095.tif 000020
【図１９】
2016214095.tif 000021
【図２０】
2016214095.tif 000022